(57)【要約】      （修正有）【課題】１物品のため試食準備が容易で、片手で試食品を試食することができ、廃棄する場合の廃棄量も減らすことができる試食品試食容器を提供する。【解決手段】試食品試食容器１０の容器本体１２は容易に口に挿入できる一口大の大きさに形成されている。この容器本体１２の中央部には試食品を載置する載置部１４が形成されている。容器本体１２の前部には前壁部１６が緩やか傾斜して立ち上がって形成され、両側部には側壁部１８，１８が緩やか傾斜して立ち上がって形成され、後部には後壁部２０が緩やか傾斜して立ち上がって形成されている。この後壁部２０には摘み部２２が連続して一体形成されている。この摘み部２２の下面には摘み部挿入部が形成されていてもよい。【選択図】図１
0003184916.tif 000002
【実用新案登録請求の範囲】
【請求項１】
一口大に形成された容器本体と、この容器本体に形成されると共に試食品が載置される載置部と、この載置部を囲むように形成された壁部と、を有してなることを特徴とする試食品試食容器。
【請求項２】
一口大に形成された容器本体と、この容器本体に形成されると共に試食品が載置される載置部と、前記容器本体の前部に傾斜して立ち上がって形成された前壁部と、前記載置部の両側部に傾斜して立ち上がって形成された側壁部と、前記容器本体の後部に傾斜して立ち上がって形成された後壁部と、を有してなることを特徴とする試食品試食容器。
【請求項３】
一口大に形成された容器本体と、この容器本体の中央部に形成されると共に試食品が載置される載置部と、前記容器本体の前部に傾斜して立ち上がって形成された前壁部と、前記容器本体の両側部に傾斜して立ち上がって形成された側壁部と、前記容器本体の後部に傾斜して立ち上がって形成された後壁部と、この後壁部に形成された摘み部と、を有してなることを特徴とする試食品試食容器。
【請求項４】
一口大の大きさに形成されると共に底面にフラット面が形成された容器本体と、この容器本体の中央部に形成されると共に試食品が載置される載置部と、前記容器本体の前部に傾斜して立ち上がって形成された前壁部と、前記容器本体の両側部に傾斜して立ち上がって形成された側壁部と、前記容器本体の後部に傾斜して立ち上がって形成された後壁部と、この後壁部に形成された摘み部と、この摘み部の下面に形成された摘み部挿入部と、を有してなることを特徴とする試食品試食容器。
【考案の詳細な説明】
【技術分野】
【０００１】
本考案は、主にデパート、スーパーマーケット、食料品店等の食品売場で試食品を提供する場合に使用される試食品試食容器に関する。
【背景技術】
【０００２】
デパートやスーパーマーケット等の食品売場においては食品を消費者に試食してもらって食品の宣伝、販売の促進を図る場合がある。
この試食品を提供する場合、試食品を載せる小さいトレーと、この小さいトレーに載せられた試食品を掬う小さいスプーンを用いることが多い。
このため、消費者が試食品を試食する場合、消費者は一方の手で小トレーを持ち、他方の手で小スプーンを持つため、バッグや買物袋等の荷物を持っていると荷物が邪魔になり荷物を床等に一旦置く等してから試食している。
この結果、消費者はバッグや買物袋等の荷物を床等に一旦置く動作が面倒になり、試食したい気持ちを有していても試食しないで通り過ぎてしまう場合がある。
このことは、食品店側からすると貴重な試食の機会を減らすことになり食品の宣伝、販売の促進の面からデメリットとなる。
また、食品店は試食のために小トレーと小スプーンの２物品を試食してもらう分だけ用意する必要があり、食品売場の小さいスペースに小トレーと小スプーンを多数用意することは煩雑になる。
また、試食後は小トレーと小スプーンはゴミ箱に捨てられて廃棄処分されるが、廃棄されるのは小トレーと小スプーンの２物品であるため嵩張りゴミ箱がすぐに一杯になるという不具合がある。
【考案の概要】
【考案が解決しようとする課題】
【０００３】
本考案は、上記事実に鑑みなされたものであり、片手で試食品を試食することができると共に１物品であるので試食の準備が容易で、廃棄する場合の廃棄量も減らすことができる試食品試食容器を提供するものである。
【課題を解決するための手段】
【０００４】
請求項１の考案は、一口大に形成された容器本体と、この容器本体に形成されると共に試食品が載置される載置部と、この載置部を囲むように形成された壁部と、を有してなることを特徴としている。
請求項２の考案は、一口大に形成された容器本体と、この容器本体に形成されると共に試食品が載置される載置部と、前記容器本体の前部に傾斜して立ち上がって形成された前壁部と、前記載置部の両側部に傾斜して立ち上がって形成された側壁部と、前記容器本体の後部に傾斜して立ち上がって形成された後壁部と、を有してなることを特徴としている。
請求項３の考案は、一口大に形成された容器本体と、この容器本体の中央部に形成されると共に試食品が載置される載置部と、前記容器本体の前部に傾斜して立ち上がって形成された前壁部と、前記容器本体の両側部に傾斜して立ち上がって形成された側壁部と、前記容器本体の後部に傾斜して立ち上がって形成された後壁部と、この後壁部に形成された摘み部と、を有してなることを特徴としている。
請求項４の考案は、一口大の大きさに形成されると共に底面にフラット面が形成された容器本体と、この容器本体の中央部に形成されると共に試食品が載置される載置部と、前記容器本体の前部に傾斜して立ち上がって形成された前壁部と、前記容器本体の両側部に傾斜して立ち上がって形成された側壁部と、前記容器本体の後部に傾斜して立ち上がって形成された後壁部と、この後壁部に形成された摘み部と、この摘み部の下面に形成された摘み部挿入部と、を有してなることを特徴とする試食品試食容器。
【考案の効果】
【０００５】
本考案の試食品試食容器は、片手で試食品を試食することができるので容易に試食することができるという優れた効果を有する。
本考案の試食品試食容器は、片手で試食できるので試食し易く多くの消費者に試食してもらって試食品の宣伝や販売を促進することができるという優れた効果を有する。
本考案の試食品試食容器は、１物品であるので試食の準備を容易に行うことができると共に試食後の廃棄量を少なくすることができるという優れた効果を有する。
また、請求項４の試食品試食容器は、上記優れた効果の他に試食品試食容器を嵩張らずに安定して積み重ねることができるという優れた効果を有する。
【図面の簡単な説明】
【０００６】
【図１】第１実施例の試食品試食容器の全体斜視図である。
【図２】第１実施例の試食品試食容器の平面図である。
【図３】第１実施例の試食品試食容器の側面図である。
【図４】第１実施例の試食品試食容器の縦断面図である。
【図５】第２実施例の試食品試食容器の全体斜視図である。
【考案を実施するための形態】
【０００７】
考案を実施するために最良の形態の例として以下のような実施例を示す。
【実施例１】
【０００８】
図１〜図４には本考案に係る試食品試食容器の第１実施例が示されている。
図１には第１実施例の試食品試食容器１０が全体斜視図で示されている。この試食品試食容器１０は合成樹脂材で一体形成されている。また、試食品試食容器１０の容器本体１２は容易に口に挿入できる一口大の大きさに形成されている。
前記容器本体１２の中央部には試食品（図示せず）を載置する載置部１４が少し窪んで形成されている。この載置部１４は平に形成され、安定して試食品を載置部１４に載置できるようになっている。
図３に示されるように、前記容器本体１２の底面にはフラット面１２Ａが形成されているので、試食品試食容器１０をテーブル等に置く場合に安定した状態で試食品試食容器１０をテーブル等に置くことができるようになっている。
図１に示されるように、前記容器本体１２の前部には前壁部１６が緩やか傾斜して立ち上がって形成されている。この前壁部１６の先端部１６Ａが緩やかに湾曲して形成されている。
前記容器本体１２の両側部には側壁部１８，１８が緩やか傾斜して立ち上がって形成されている。これら側壁部１８の先端部１８Ａも緩やかに湾曲して形成されている。
また、前記容器本体１２の後部には後壁部２０が緩やか傾斜して立ち上がって形成されている。この後壁部２０の先端部２０Ａも緩やかに湾曲して形成されている。
なお、前記容器本体１２に前壁部１６、側壁部１８，１８、後壁部２０の壁部を形成したことにより、載置部１４に試食品を載せても試食品が容器本体１２からこぼれたりするのを防止すると共に試食品から水分が出ても水分が容器本体１２から溢れたりしないうようになっている。
前記容器本体１２の後壁部２０には小さい摘み部２２が連続して一体形成されている。この摘み部２２は上下方向に扁平に形成され、摘み面２２Ａ，２２Ａが形成されている。このため、図１に示されるように、摘み部２２を親指と人差指で摘み易くなっている。
図４に示されるように、前記摘み部２２の下面には摘み部挿入部２４が形成されている。従って、試食品試食容器１０を積み重ねた場合に下の試食品試食容器１０の摘み部２２が挿入して試食品試食容器１０を嵩張らずに積み重ねることができるようになっている。
また、試食品試食容器１０を積み重ねた場合に下の試食品試食容器１０の摘み部２２が上に位置する試食品試食容器１０の把持体挿入部２４に挿入されるため積み重ねた試食品試食容器１０が崩れ難くなっている。
【０００９】
次に、第１実施例の試食品試食容器１０の作用について説明する。
試食品試食容器１０に試食品を載せる場合は容器本体１２の中央部に形成された載置部１４に載せる。前記容器本体１２には前壁部１６、側壁部１８，１８、後壁部２０が一体形成されているので、載置部１４に試食品を載せても容器本体１２から試食品がこぼれたり、あるいは試食品から水分が出ても水分が溢れたりすることはない。
試食品を載せた試食品試食容器１０を消費者が取る場合は摘み部２２の摘み面２２Ａ，２２Ａを親指と人差指等で簡単に摘むことができるので片手で試食品試食容器１０を簡単に取ることができる。
そして、そのまま容器本体１２を口に入れることにより試食品を試食することができる。しかも、容器本体１２は一口大の大きさに形成されているので試食品が載せられた容器本体１２を簡単に口に入れて試食することができる。
従って、消費者がバッグや買物袋等の荷物を持っていても片手があいていれば荷物を床等に置かなくても容易に試食できる。
これにより、試食し易くなるので試食する消費者が多くなり、食品店側からすると貴重な試食の機会を増加でき、食品の宣伝、販売の促進を図ることができる。
また、前記容器本体１２の底面にはフラット面１２Ａが形成されているので、試食品試食容器１０をテーブル等に置いた場合に試食品試食容器１０をテーブル等安定した状態で置くことができる。
なお、前記摘み部２２の下面には摘み部挿入部２４が形成されているので、試食品試食容器１０を積み重ねた場合に下の試食品試食容器１０の摘み部２２が挿入されて試食品試食容器１０を嵩張らずに積み重ねることができるため、保管スペースを小さくすることができる。
また、試食品試食容器１０を積み重ねた場合に下の試食品試食容器１０の摘み部２２が上に位置する試食品試食容器１０の把持体挿入部２４に収容されるため積み重ねた試食品試食容器１０が崩れ難くいため、保管、運搬にも便利である。
さらに、前記試食品試食容器１０は単品であるので試食後の廃棄量を少なくすることができる。
【００１０】
図５には第２実施例の試食品試食容器３０が全体斜視図で示されている。なお、第１実施例の試食品試食容器１０と同一の構成は同一の符号を用いてその説明を省略する。
図５に示されるように、第２実施例の試食品試食容器３０には第１実施例の試食品試食容器１０のような摘み部２２は形成されていない。
このため前記試食品試食容器３０を使用して試食品を試食する場合は容器本体１２の側壁部１８，１８等を摘んで試食品試食容器３０を取る。
前記試食品試食容器３０には摘み部が形成されていないので、試食品試食容器３０の大きさを第１実施例の試食品試食容器１０より小さくコンパクトにできる。
このため、第１実施例の試食品試食容器１０に比べて保管や運搬に便利であり、試食後の廃棄量も少なくすることができる。
なお、他の構成、作用、効果は第１実施例の試食品試食容器１０と同一であるので、その説明は省略する。
【００１１】
なお、実施例では試食品試食容器１０、試食品試食容器３０を合成樹脂材で一体形成したが、合成樹脂材以外の材料で形成してもよいことは勿論である。
また、前記容器本体１２の平面視形状は実施例の図２に示した形状に限定されるものでなく、容器本体１２の形状を平面視円形状、楕円状、レンゲ状等に形成してもよいことは勿論である。
なお、第１実施例の試食品試食容器１０では摘み部２２を形成したが、摘み部２２の形状は実施例に示した形状に限定されるものでなく、また、摘み部２２に摘み部挿入部２４を形成しなくてもよいことは勿論である。
【産業上の利用可能性】
【００１２】
本考案の試食品試食容器は、色々な食品を試食する場合に使用することができる。
【符号の説明】
【００１３】
１０    試食品試食容器
１２    容器本体
１２Ａ  フラット面
１４    載置部
１６    前壁部
１８    側壁部
２０    後壁部
２２    摘み部
２４    摘み部挿入部
３０    試食品試食容器
【図１】
0003184916.tif 000003
【図２】
0003184916.tif 000004
【図３】
0003184916.tif 000005
【図４】
0003184916.tif 000006
【図５】
0003184916.tif 000007